(57)【要約】【課題】住宅等の建物を構成する全ての壁パネルや屋根パネルに発泡スチロール等の発泡合成樹脂板を用い、基礎部の構造と各パネルの接合方法を簡素化することにより、施工が迅速且つ容易にできると共に安価な建物を得ることができる、発泡合成樹脂板による建物構築法を得る。【解決手段】基礎コンクリートの上面に、発泡合成樹脂製の壁パネルを固定するためのパネル嵌合溝を有したＵ字状の基礎部を形成し、該基礎部のパネル嵌合溝内に定尺寸法の壁パネルを挿入して接着又は挟着固定すると共に当該壁パネル同士の側面を接着固定して建物の外壁を構築し、更に前記外壁の上面に発泡合成樹脂製の屋根パネルを接着固定することにより、内部に方形状の空間を有した建物を形成する。【選択図】図７
2013036315.tif 000002
【特許請求の範囲】
【請求項１】
基礎コンクリートの上面に、発泡合成樹脂製の壁パネルを接着固定するためのパネル嵌合溝を有したＵ字状の基礎部を形成し、該基礎部のパネル嵌合溝内に定尺寸法の壁パネルを挿入して接着固定すると共に当該壁パネル同士の側面を接着固定して建物の外壁を構築し、更に前記外壁の上面に発泡合成樹脂製の屋根パネルを接着固定することにより、内部に方形状の空間を有した建物を形成することを特徴とした、発泡合成樹脂板による建物構築法。
【請求項２】
屋根パネルの上面には根太溝が複数本形成され、該根太溝に根太棒を接着固定すると共に屋根材を当該屋根パネルの上面に被せ、前記根太棒に屋根材を固定して屋根を形成することを特徴とした、請求項１に記載の発泡合成樹脂板による建物構築法。
【請求項３】
壁パネルの任意な箇所に玄関開口部と窓開口部を開け、該玄関開口部に玄関枠を接着固定したのち玄関ドアを取り付けて玄関を形成し、該窓開口部に窓枠を接着固定したのち窓扉を取り付けて窓を形成することを特徴とした、請求項１に記載の発泡合成樹脂板による建物構築法。
【請求項４】
壁パネルの表面に繊維補強樹脂層を被覆し、必要に応じて前記壁パネルの表面に化粧材の塗付又は化粧加工して外壁を形成することを特徴とした、請求項１に記載の発泡合成樹脂板による建物構築法。
【発明の詳細な説明】
【技術分野】
【０００１】  本発明は、住宅等の建物を構成する全ての壁パネルや屋根パネルに発泡スチロール等の発泡合成樹脂板を用いることにより、施工が迅速且つ容易にできると共に安価な建物を提供することができる、発泡合成樹脂板による建物構築法に関するものである。
【背景技術】
【０００２】  従来、施工が迅速且つ容易で安価な建物として、地震や台風などの災害現場や工事現場等における仮設住宅としてのプレハブ式住宅や、レジャー用途におけるバンガロー等がある。【０００３】  上記プレハブ式住宅は、定尺の枠にスチール板を張り合わせて構成したパネルを組み合わせ、屋根及び床を張り付けて構築したものであり、雨風は防げるもののパネルが薄いために断熱効果がなく、快適な居住空間を得ることができなかった。また、上記バンガローは、壁をはじめ屋根や床にも木材を用いるため、施工日数がかかると共に費用も割高であった。【０００４】  上記問題点を解消すべく、例えば特開平１１−３６４８３号公報記載の「発明の名称：プラスチック発泡材による建築工法」には、プラスチック発泡材を適当な大きさに成形もしくは加工し、接着剤等で一体化して建築構造体を造る旨の提案がされ、特許第３９３６５８３号公報の「発明の名称：組立式ドーム」には、発泡スチロールまたは強化プラスチックを構成材とする複数のドーム片の側縁を互いに接着して集合することにより、内部に半球状の居住空間を形成する旨の提案がされている。該いずれの公報に記載のものは、壁や屋根にプラスチック発泡材（発泡スチロール等）を用いているため、断熱効果が得られると共に施工日数もかからず、費用も比較的安価となる。【０００５】
【特許文献１】特開平１１−３６４８３号
【特許文献２】特許第３９３６５８３号
【発明の開示】
【発明が解決しようとする課題】
【０００６】  上記特開平１１−３６４８３号公報に記載のものは、特に寸法は記載されていないものの図から判断する限り、プラスチック発泡材の小片をレンガを積み上げるように接着して建築構造体を造っている。しかしながら、該方法で建物を構築した場合、大量のプラスチック発泡材の小片と大量の接着剤が必要となり、断熱効果は得られるものの施工が迅速且つ容易にできないという欠点があった。また、上記特許第３９３６５８３号公報に記載のものは、発泡スチロールまたは強化プラスチックのドーム片を互いに接着して半球状の居住空間を形成し、前記ドーム片の基端部を略Ｌ字状としてドーム組立用基礎の凹部に係止することを特徴としている。しかしながら、該方法で建物を構築した場合、居住空間の床面が円形となり、壁から天井にかけては半球状となるため、デッドスペースができて家財道具等を効率的に配置することができないという欠点があった。更に各ドーム片の接着方法やドーム片の基端部をドーム組立用基礎に係止する方法が複雑であるため、これも前記公報と同様に断熱効果は得られるものの施工が迅速且つ容易にできないという欠点があった。【０００７】  本発明は、上述した各欠点を解決するために成されたものであり、住宅等の建物を構成する全ての壁パネルや屋根パネルに発泡スチロール等の発泡合成樹脂板を用い、基礎部の構造と各パネルの接合方法を簡素化することにより、施工が迅速且つ容易にできると共に安価な発泡合成樹脂製の建物を得ることができる、発泡合成樹脂板による建物構築法を提供することを目的とする。
【課題を解決するための手段】
【０００８】  上記課題を解決すべく、本発明の発泡合成樹脂板による建物構築法は、基礎コンクリートの上面に、発泡合成樹脂製の壁パネルを接着固定するためのパネル嵌合溝を有したＵ字状の基礎部を形成し、該基礎部のパネル嵌合溝内に定尺寸法の壁パネルを挿入して接着固定すると共に当該壁パネル同士の側面を接着固定して建物の外壁を構築し、更に前記外壁の上面に発泡合成樹脂製の屋根パネルを接着固定することにより、内部に方形状の空間を有した建物を形成する。【０００９】  屋根パネルの上面には根太溝が複数本形成され、該根太溝に根太棒を接着固定すると共に屋根材を当該屋根パネルの上面に被せ、前記根太棒に屋根材を固定して屋根を形成する。【００１０】  壁パネルの任意な箇所に玄関開口部と窓開口部を開け、該玄関開口部に玄関枠を接着固定したのち玄関ドアを取り付けて玄関を形成し、該窓開口部に窓枠を接着固定したのち窓扉を取り付けて窓を形成する。【００１１】  壁パネルの表面に繊維補強樹脂層を被覆し、必要に応じて前記壁パネルの表面に化粧材の塗付又は化粧加工して外壁を形成する。
【発明の効果】
【００１２】  本発明の発泡合成樹脂板による建物構築法によれば、住宅等の建物を構成する全ての壁パネルや屋根パネルに発泡スチロール等の発泡合成樹脂板を用い、基礎部の構造と各パネルの接合方法を簡素化したことにより、施工が迅速且つ容易にできると共に安価な発泡合成樹脂製の建物を得ることができるという効果を奏する。また、建物の床面が方形であるため、デッドスペースもなく家財道具等を効率的に配置することができ、断熱効果もあることにより快適な居住空間が得られるという効果も奏する。更には建物全体が軽量となるため、地震等の揺れに対して丈夫であるという効果も奏する。
【発明を実施するための最良の形態】
【００１３】  本発明の発泡合成樹脂板による建物構築法を実施するための最良の形態を、図を用いて説明する。【００１４】  図１は本発明の発泡合成樹脂板による建物構築法における基礎部の構造を示す斜視図であり、図２は本発明の発泡合成樹脂板による建物構築法における基礎部に、発泡合成樹脂板の壁パネルを嵌合した状態図である。該図に示すように、本発明の発泡合成樹脂板による建物構築法は、先ず基礎コンクリート６の上面に、発泡合成樹脂製の壁パネルを接着固定するためのパネル嵌合溝７を有したＵ字状の基礎部を形成し、該基礎部のパネル嵌合溝７内に定尺寸法の壁パネル８を挿入して接着固定すると共に当該壁パネル８同士の側面を接着固定して建物の外壁を構築する。なお、前記定尺寸法の壁パネル８は、例えば幅１ｍ，高さ２．５ｍ，厚さ１５ｃｍ程度の大きさであるが、製造設備により幅３ｍ，高さ３ｍ程度とするなど任意で構わない。また、厚さも、必要とされる断熱効果や曲げ強度及び発泡倍率等の条件により任意で構わない。【００１５】  図１及び図２の（ａ）図は、基礎コンクリート６の上面に既成のＵ字溝１を連結して接着固定し、該Ｕ字溝１の開口部をパネル嵌合溝７として当該パネル嵌合溝７内に発泡合成樹脂製の壁パネル８を挿入して接着固定した状態を示している。また、該Ｕ字溝１の開口部端面まで地盤９に埋めた状態を示している。該方法においては、既成のＵ字溝１を利用するため、基礎部の施工は最も迅速且つ容易となる。なお、既成のＵ字溝１の代わりに、型枠で同様のＵ字溝を形成しても構わない。【００１６】  また、図１及び図２の（ｂ）図は、基礎コンクリート６の上面にＵ字固定具２，２を規定の間隔を保持して固定し、該Ｕ字固定具２，２の溝内に発泡合成樹脂製の基礎パネル４，４を挿入して接着固定し、該基礎パネル４，４にて構成された開口部をパネル嵌合溝７として当該パネル嵌合溝７内に発泡合成樹脂製の壁パネル８を挿入して接着固定した状態を示している。また、該基礎パネル４，４の開口部端面まで地盤９に埋めた状態を示している。このため、前記基礎パネル４，４は防蟻処理を施すと共に発泡倍率を低くした高密度の発泡樹脂板とするのが好適である。【００１７】  また、図１及び図２の（ｃ）図は、基礎コンクリート６の上面に発泡合成樹脂製の基礎パネル４の幅を有した嵌合溝３，３を規定の間隔を保持して形成し、該嵌合溝３，３の溝内に発泡合成樹脂製の基礎パネル４，４を挿入して接着固定し、該基礎パネル４，４にて構成された開口部をパネル嵌合溝７として当該パネル嵌合溝７内に発泡合成樹脂製の壁パネル８を挿入して接着固定した状態を示している。また、該基礎パネル４，４の開口部端面まで地盤９に埋めた状態を示している。このため、前記基礎パネル４，４は防蟻処理を施すと共に発泡倍率を低くした高密度の発泡樹脂板とするのが好適である。【００１８】  また、図３は図２の（ｂ）図における拡大断面図である。該図に示すように、Ｕ字固定具２，２は規定の間隔を保持してコンクリート釘５，５で基礎コンクリート６に固定する。その後、該Ｕ字固定具２，２の溝内に発泡合成樹脂製の基礎パネル４，４を挿入して接着固定すると共に当該基礎パネル４，４の開口部のパネル嵌合溝７に発泡合成樹脂製の壁パネル８を挿入して接着固定し、更に前記基礎パネル４，４と壁パネル８とを連通してシャフト１１を貫通し、当該シャフト１１の外部両端部に挟持パッド１０，１０を当て、ボルトにて螺着固定する。このようにすれば、前記壁パネル８は、基礎パネル４，４との接合面に密着して強固に接着固定することができる。なお、該シャフト１１と挟持パッド１０，１０による固定は、壁パネル８の横幅に対して２箇所程度が好適である。また、該方法は図２の（ｃ）図における基礎パネル４，４の固定方法にも適用される。【００１９】  以上のようにして、建物の形状に合わせて基礎部を構築し、当該基礎部のパネル嵌合溝７内に発泡合成樹脂製の壁パネル８を挿入して接着固定することにより、建物の壁や仕切り等が構築される。また、前記壁パネル８の上面に後述の屋根パネルを接着固定することにより建物の屋根が構築され、壁や屋根が全て発泡合成樹脂板の建物が構築される。【００２０】  図４は本発明の発泡合成樹脂板による建物構築法における一実施例の前面ユニットの斜視図であり、建物の玄関部を構築する場合において、両側面の壁パネル８ａ，８ａの前面側に複数枚の壁パネル８ｂを配置すると共に当該壁パネル８ａと壁パネル８ｂの上面に屋根パネル１４を配置し、玄関ドアを装着する箇所に玄関開口部１３を開ける。その後、該玄関開口部１３に玄関枠を接着固定して玄関ドアを取り付けることにより建物の玄関部が構築される。前記壁パネル８ｂより玄関開口部１３を開ける作業は、電熱式のスチロールカッターにて簡単にできるため玄関部の施工は迅速且つ容易に行える。【００２１】  図５は本発明の発泡合成樹脂板による建物構築法における一実施例の中間ユニットの斜視図であり、（ａ）図は窓無しの外壁部、（ｂ）図は窓付きの外壁部である。建物の外壁部を構築する場合において、両側面の壁パネル８ａ，８ａの上面に屋根パネル１４を配置し、窓付きの場合には上記と同様に窓を装着する箇所に窓開口部１７を開ける。その後、該窓開口部１７に窓枠を接着固定して窓を取り付けることにより建物の外壁部が構築される。前記壁パネル８ａより窓開口部１７を開ける作業は、上記と同様に電熱式のスチロールカッターにて簡単にできるため窓の施工は迅速且つ容易に行える。【００２２】  図６は本発明の発泡合成樹脂板による建物構築法における一実施例の背面ユニットの斜視図であり、建物の玄関部と対面する外壁部を構築する場合において、両側面の壁パネル８ａ，８ａの後面側に複数枚の壁パネル８ｂを配置すると共に当該壁パネル８ａと壁パネル８ｂの上面に屋根パネル１４を配置することにより建物の玄関部と反対側の外壁部が構築される。該外壁部に窓を配設する場合は、上述した方法にて同様に行える。【００２３】  図７は本発明の発泡合成樹脂板による建物構築法における一実施例の全景を示す斜視図であり、上述の前面ユニット１２と窓無しの中間ユニット１６ａと窓付きの中間ユニット１６ｂ及び背面ユニット１８を組合せることにより発泡合成樹脂板による建物１９が構築される。該建物１９の形状は一実施例によるものであり、壁パネル８の枚数や組み立て形状と窓開口部１７の数量や位置及び玄関開口部１３の数量や位置並びに前記壁パネル８と窓開��部１７及び玄関開口部１３の大きさは任意で構わない。【００２４】  以上のようにして、発泡合成樹脂板による建物１９を構築した後、壁パネル８の表面に繊維補強樹脂層を被覆することにより、十分な強度や耐衝撃性を持たせることができ、更には耐侯性や耐火性を持たせることもできる。また、必要に応じて前記壁パネルの表面に化粧材の塗付又は化粧加工して外壁を形成することにより、デザインを付加することができる。【００２５】  図８は発泡合成樹脂板の接合状態を示す断面図である。該図において（ａ）図は壁パネル８，８同士の接合状態を示す平面断面図であり、壁パネル８の縦方向の一方の側面に凸部２０を成型し他方の側面に凹部２１を成型しておけば、隣り合った壁パネル８，８同士を接合する際に、前記凸部２０と凹部２１とが嵌合して確実に接着固定される。（ｂ）図は屋根パネル１４，１４同士の接合状態を示す側面断面図であり、前記と同様に一方の屋根パネル１４の頂部側面に凸部２２を成型し他方の屋根パネル１４の頂部側面に凹部２３を成型しておけば、対面する屋根パネル１４，１４同士を接合する際に、前記凸部２２と凹部２３とが嵌合して確実に接着固定される。（ｃ）図は壁パネル８と屋根パネル１４の接合状態を示す側面断面図であり、屋根パネル１４の軒先部にＬ字型の凹部２４を成型しておけば、屋根パネル１４に壁パネル８を接合する際に、前記Ｌ字型の凹部２４に壁パネル８の上面とが嵌合して確実に接着固定される。該接合方法は、一実施例によるものであり、前記凸部２０，２２や凹部２１，２３，２４の形状や大きさ等は任意で構わない。【００２６】  また、図９は屋根パネルに屋根材を固定する方法を示した図である。図４〜図７及び該図に示すように、屋根パネル１４の上面には凹状の根太溝１５が複数本形成されており、該屋根パネル１４に屋根材２６を張る際において当該根太溝１５に根太棒２５を接着固定し、更に当該根太棒２５の上面に屋根材２６を被せて釘やネジにて固定することにより屋根が構築されると共に屋根自体に強度を持たせることができる。該屋根材２６は、トタン，コンパネ等が好適であるが特に限定するものではない。【００２７】  以上、本発明の発泡合成樹脂板による建物構築法によれば、住宅等の建物を構成する全ての壁パネルや屋根パネルに発泡スチロール等の発泡合成樹脂板を用い、基礎部の構造と各パネルの接合方法を簡素化したことにより、施工が迅速且つ容易にできると共に安価な建物を得ることができる。また、建物の床面が方形であるため、デッドスペースもなく家財道具等を効率的に配置することができ、断熱効果もあることにより快適な居住空間が得られる。
【産業上の利用可能性】
【００２８】  本発明の発泡合成樹脂板による建物構築法による建物は、住宅，事務所，店舗，バンガローなど人が生活する居住空間のほか、倉庫，カーポートや断熱効果の特徴を生かして業務用保冷庫等にも利用が可能である。
【図面の簡単な説明】
【００２９】
【図１】本発明の発泡合成樹脂板による建物構築法における基礎部の構造を示す斜視図である。
【図２】本発明の発泡合成樹脂板による建物構築法における基礎部に、発泡合成樹脂板の壁パネルを嵌合した状態図である。
【図３】図２の（ｂ）図における拡大断面図である。
【図４】本発明の発泡合成樹脂板による建物構築法における一実施例の前面ユニットの斜視図である。
【図５】本発明の発泡合成樹脂板による建物構築法における一実施例の中間ユニットの斜視図である。
【図６】本発明の発泡合成樹脂板による建物構築法における一実施例の背面ユニットの斜視図である。
【図７】本発明の発泡合成樹脂板による建物構築法における一実施例の全景を示す斜視図である。
【図８】発泡合成樹脂板の接合状態を示す断面図である。
【図９】屋根パネルに屋根材を固定する方法を示した図である。
【符号の説明】
【００３０】１  Ｕ字溝
２  Ｕ字固定具
３  固定溝
４  基礎パネル
５  コンクリート釘
６  基礎コンクリート
７  パネル嵌合溝
８  壁パネル
９  地盤
１０  挟持パッド
１１  シャフト
１２  前面ユニット
１３  玄関開口部
１４  屋根パネル
１５  根太溝
１６  中間ユニット
１７  窓開口部
１８  背面ユニット
１９  建物
２０  凸部
２１  凹部
２２  凸部
２３  凹部
２４  凹部
２５  根太棒
２６  屋根材
【図１】
2013036315.tif 000003
【図２】
2013036315.tif 000004
【図３】
2013036315.tif 000005
【図４】
2013036315.tif 000006
【図５】
2013036315.tif 000007
【図６】
2013036315.tif 000008
【図７】
2013036315.tif 000009
【図８】
2013036315.tif 000010
【図９】
2013036315.tif 000011
【手続補正書】
【提出日】平成23年10月31日(2011.10.31)
【手続補正１】
【補正対象書類名】特許請求の範囲
【補正対象項目名】請求項１
【補正方法】変更
【補正の内容】
【請求項１】
基礎コンクリートの上面に、発泡合成樹脂製の壁パネルを固定するためのパネル嵌合溝を有したＵ字状の基礎部を形成し、該基礎部のパネル嵌合溝内に定尺寸法の壁パネルを挿入して接着又は挟着固定すると共に当該壁パネル同士の側面を接着固定して建物の外壁を構築し、更に前記外壁の上面に発泡合成樹脂製の屋根パネルを接着固定することにより、内部に方形状の空間を有した建物を形成することを特徴とした、発泡合成樹脂板による建物構築法。
【手続補正２】
【補正対象書類名】特許請求の範囲
【補正対象項目名】請求項４
【補正方法】変更
【補正の内容】
【請求項４】
壁パネルの表面に補強樹脂層を被覆し、必要に応じて前記壁パネルの表面に化粧材の塗付又は化粧加工して外壁を形成することを特徴とした、請求項１に記載の発泡合成樹脂板による建物構築法。
【手続補正３】
【補正対象書類名】明細書
【補正対象項目名】０００８
【補正方法】変更
【補正の内容】
【０００８】  上記課題を解決すべく、本発明の発泡合成樹脂板による建物構築法は、基礎コンクリートの上面に、発泡合成樹脂製の壁パネルを固定するためのパネル嵌合溝を有したＵ字状の基礎部を形成し、該基礎部のパネル嵌合溝内に定尺寸法の壁パネルを挿入して接着又は挟着固定すると共に当該壁パネル同士の側面を接着固定して建物の外壁を構築し、更に前記外壁の上面に発泡合成樹脂製の屋根パネルを接着固定することにより、内部に方形状の空間を有した建物を形成する。
【手続補正４】
【補正対象書類名】明細書
【補正対象項目名】００１１
【補正方法】変更
【補正の内容】
【００１１】  壁パネルの表面に補強樹脂層を被覆し、必要に応じて前記壁パネルの表面に化粧材の塗付又は化粧加工して外壁を形成する。
【手続補正５】
【補正対象書類名】明細書
【補正対象項目名】００１４
【補正方法】変更
【補正の内容】
【００１４】  図１は本発明の発泡合成樹脂板による建物構築法における基礎部の構造を示す斜視図であり、図２は本発明の発泡合成樹脂板による建物構築法における基礎部に、発泡合成樹脂板の壁パネルを嵌合した状態図である。該図に示すように、本発明の発泡合成樹脂板による建物構築法は、先ず基礎コンクリート６の上面に、発泡合成樹脂製の壁パネルを固定するためのパネル嵌合溝７を有したＵ字状の基礎部を形成し、該基礎部のパネル嵌合溝７内に定尺寸法の壁パネル８を挿入して接着又は挟着固定すると共に当該壁パネル８同士の側面を接着固定して建物の外壁を構築する。なお、前記定尺寸法の壁パネル８は、例えば幅１ｍ，高さ２．５ｍ，厚さ１５ｃｍ程度の大きさであるが、製造設備により幅３ｍ，高さ３ｍ程度とするなど任意で構わない。また、厚さも、必要とされる断熱効果や曲げ強度及び発泡倍率等の条件により任意で構わない。
【手続補正６】
【補正対象書類名】明細書
【補正対象項目名】００１６
【補正方法】変更
【補正の内容】
【００１６】  また、図１及び図２の（ｂ）図は、基礎コンクリート６の上面にＵ字固定具２，２を規定の間隔を保持して固定し、該Ｕ字固定具２，２の溝内に発泡合成樹脂製の基礎パネル４，４を挿入して接着固定し、該基礎パネル４，４にて構成された開口部をパネル嵌合溝７として当該パネル嵌合溝７内に発泡合成樹脂製の壁パネル８を挿入して挟着固定した状態を示している。また、該基礎パネル４，４の開口部端面まで地盤９に埋めた状態を示している。このため、前記基礎パネル４，４は発泡倍率を低くした高密度の発泡樹脂板とし、防蟻処理を施すと好適となる。
【手続補正７】
【補正対象書類名】明細書
【補正対象項目名】００１７
【補正方法】変更
【補正の内容】
【００１７】  また、図１及び図２の（ｃ）図は、基礎コンクリート６の上面に発泡合成樹脂製の基礎パネル４の幅を有した嵌合溝３，３を規定の間隔を保持して形成し、該嵌合溝３，３の溝内に発泡合成樹脂製の基礎パネル４，４を挿入して接着固定し、該基礎パネル４，４にて構成された開口部をパネル嵌合溝７として当該パネル嵌合溝７内に発泡合成樹脂製の壁パネル８を挿入して挟着固定した状態を示している。また、該基礎パネル４，４の開口部端面まで地盤９に埋めた状態を示している。このため、前記基礎パネル４，４は発泡倍率を低くした高密度の発泡樹脂板とし、防蟻処理を施すと好適となる。
【手続補正８】
【補正対象書類名】明細書
【補正対象項目名】００１８
【補正方法】変更
【補正の内容】
【００１８】  また、図３は図２の（ｂ）図における拡大断面図である。該図に示すように、Ｕ字固定具２，２は規定の間隔を保持してコンクリート釘５，５で基礎コンクリート６に固定する。その後、該Ｕ字固定具２，２の溝内に発泡合成樹脂製の基礎パネル４，４を挿入して接着固定すると共に当該基礎パネル４，４の開口部のパネル嵌合溝７に発泡合成樹脂製の壁パネル８を挿入した後、前記基礎パネル４，４と壁パネル８とを連通してシャフト１１を貫通し、当該シャフト１１の外部両端部に挟持パッド１０，１０を当て、ボルトを螺着して挟着固定する。なお、該シャフト１１と挟持パッド１０，１０による固定は、壁パネル８の横幅に対して２箇所程度が好適である。また、壁パネル８と基礎パネル４，４との接合面に接着材を塗布しておけば、更に強固に固定することができる。また、該方法は図２の（ｃ）図における基礎パネル４，４の固定方法にも適用される。
【手続補正９】
【補正対象書類名】明細書
【補正対象項目名】００１９
【補正方法】変更
【補正の内容】
【００１９】  以上のようにして、建物の形状に合わせて基礎部を構築し、当該基礎部のパネル嵌合溝７内に発泡合成樹脂製の壁パネル８を挿入して接着又は挟着固定することにより、建物の壁や仕切り等が構築される。また、前記壁パネル８の上面に後述の屋根パネルを接着固定することにより建物の屋根が構築され、壁や屋根が全て発泡合成樹脂板の建物が構築される。
【手続補正１０】
【補正対象書類名】明細書
【補正対象項目名】００２４
【補正方法】変更
【補正の内容】
【００２４】  以上のようにして、発泡合成樹脂板による建物１９を構築した後、壁パネル８の表面に補強樹脂層を被覆することにより、十分な強度や耐衝撃性を持たせることができ、更には耐侯性や耐火性を持たせることもできる。また、必要に応じて前記壁パネルの表面に化粧材の塗付又は化粧加工して外壁を形成することにより、デザインを付加することができる。
【手続補正１１】
【補正対象書類名】明細書
【補正対象項目名】００２５
【補正方法】変更
【補正の内容】
【００２５】  図８は発泡合成樹脂板の接合状態を示す断面図である。該図において（ａ）図は壁パネル８，８同士の接合状態を示す平面断面図であり、壁パネル８の縦方向の一方の側面に凸部２０を成型し他方の側面に凹部２１を成型しておけば、隣り合った壁パネル８，８同士を接合する際に、前記凸部２０と凹部２１とが嵌合して確実に接着固定される。（ｂ）図は屋根パネル１４，１４同士の接合状態を示す側面断面図であり、前記と同様に一方の屋根パネル１４の頂部側面に凸部２２を成型し他方の屋根パネル１４の頂部側面に凹部２３を成型しておけば、対面する屋根パネル１４，１４同士を接合する際に、前記凸部２２と凹部２３とが嵌合して確実に接着固定される。（ｃ）図は壁パネル８と屋根パネル１４の接合状態を示す側面断面図であり、屋根パネル１４の軒先部にＬ字型の凹部２４を成型しておけば、屋根パネル１４に壁パネル８を接合する際に、前記Ｌ字型の凹部２４に壁パネル８の上面とが嵌合して確実に接着固定される。該接合方法は、一実施例によるものであり、同等の機能を有すれば前記凸部２０，２２や凹部２１，２３，２４の形状や大きさ等は任意で構わない。